(57)【要約】【課題】輸送時にパワー半導体装置同士が振動してぶつかり合い、電極端子が曲がり変形してしまうようなことのないパワー半導体装置の包装装置を得ること。【解決手段】厚板状に形成され複数の取付孔を有する複数のパワー半導体装置１、１を包装する包装装置２において、前記パワー半導体装置１と略同一形状の板状に形成され、前記パワー半導体装置１が載置される台座２ａと、前記台座に立設され、積層載置される前記複数のパワー半導体装置１、１の前記取付孔に挿通させる複数本の支柱と、前記支柱が挿通されて積層載置される前記パワー半導体装置１、１間の支柱に嵌合され、該パワー半導体装置１、１同士が互いに接触しないように間隔を保持する筒状スペーサ３と、を備える。【選択図】        図１
2008150057.tif 000002
【特許請求の範囲】
【請求項１】
厚板状に形成され複数の取付孔を有する複数のパワー半導体装置を包装する包装装置において、
前記パワー半導体装置と略同一形状の板状に形成され、前記パワー半導体装置が載置される台座と、
前記台座に立設され、積層載置される前記複数のパワー半導体装置の前記取付孔に挿通させる複数本の支柱と、
前記支柱が挿通されて積層載置される前記パワー半導体装置間の支柱に嵌合され、該パワー半導体装置同士が互いに接触しないように間隔を保持する筒状スペーサと、
を備えることを特徴とするパワー半導体装置の包装装置。
【請求項２】
前記台座と略同一形状の板状に形成され、前記支柱の先端部と係合する係合部を設けた蓋をさらに備えることを特徴とする請求項１に記載のパワー半導体装置の包装装置。
【請求項３】
前記台座、支柱、筒状スペーサ及び蓋は、導電性及び剛性を有する材料で製作されていることを特徴とする請求項２に記載のパワー半導体装置の包装装置。
【発明の詳細な説明】
【技術分野】
【０００１】
本発明は、輸送時にパワー半導体装置を包装する包装装置に関するものである。
【背景技術】
【０００２】
従来の半導体用トレイ（包装装置）として、トレイ用部材と、このトレイ用部材の上に配置される枠部材とを備え、トレイ用部材は、枠部材の上に載置可能であり、かつ半導体を載置可能な複数の半導体載置部を有し、枠部材を介して上下に配置された両トレイ用部材の半導体載置部同士の間には半導体収容部が形成され、トレイ用部材および枠部材には、これら両部材を互いに嵌合させる部材嵌合部が設けられ、部材嵌合部は、半導体収納部に収納される厚さの異なる複数種類の半導体の厚みに応じて、枠部材をトレイ用部材に対して異なる高さ位置に固定可能なものが知られている（例えば、特許文献１参照）。
【０００３】
また、従来の半導体用トレイとして、多数の貫通孔が配列するトレイ用部材と、リード端子を有しパッケージされた半導体を収納するスペースを、貫通孔に嵌合してトレイ用部材上に作るための着脱自在なリブと、を具備し、半導体のサイズに合わせて前記スペースの広さを調整できるものが知られている（例えば、特許文献２参照）。
【０００４】
また、トレイ用部材に設けた凹部内に面積と厚みが異なる半導体を収納する半導体用トレイにおいて、前記凹部は階段状に設けてなるものが知られている（例えば、特許文献３参照）。
【０００５】
また、多種サイズの半導体パッケージを収納することのできる半導体用トレイであって、当該トレイ用部材の内壁面に内方に向って複数適宜間隔を置いて突起部を突設してなるものがある（例えば、特許文献４参照）。
【０００６】
【特許文献１】特開２００５−２０６２０９号公報
【特許文献２】特開２０００−２８１１７０号公報
【特許文献３】特開平０９−０６４５８４号公報
【特許文献４】特開平０５−２７８７７０号公報
【発明の開示】
【発明が解決しようとする課題】
【０００７】
しかしながら、上記従来の技術によれば、サイズの異なる複数種類の半導体を収納部に収納できるようにしているので、半導体と収納部との間に隙間があり、輸送時に収容部内で半導体が振動してしまい、電極端子が曲がり変形してしまうことがある、という問題がある。
【０００８】
本発明は、上記に鑑みてなされたものであって、輸送時にパワー半導体装置同士が振動してぶつかり合い、電極端子が曲がり変形してしまうようなことのないパワー半導体装置の包装装置を得ることを目的とする。
【課題を解決するための手段】
【０００９】
上述した課題を解決し、目的を達成するために、本発明のパワー半導体装置の包装装置は、厚板状に形成され複数の取付孔を有する複数のパワー半導体装置を包装する包装装置において、前記パワー半導体装置と略同一形状の板状に形成され、前記パワー半導体装置が載置される台座と、前記台座に立設され、積層載置される前記複数のパワー半導体装置の前記取付孔に挿通させる複数本の支柱と、前記支柱が挿通されて積層載置される前記パワー半導体装置間の支柱に嵌合され、該パワー半導体装置同士が互いに接触しないように間隔を保持する筒状スペーサと、を備えることを特徴とする。
【発明の効果】
【００１０】
この発明によれば、輸送時にパワー半導体装置同士が振動してぶつかり合い、電極端子が曲がり変形してしまうようなことのないパワー半導体装置の包装装置が得られる、という効果を奏する。
【発明を実施するための最良の形態】
【００１１】
以下に、本発明にかかるパワー半導体装置の包装装置の実施の形態を図面に基づいて詳細に説明する。なお、この実施の形態によりこの発明が限定されるものではない。
【００１２】
実施の形態
図１は、本発明にかかる包装装置によりパワー半導体装置を積層包装した状態を示す斜視図であり、図２は、パワー半導体装置の形状を示す斜視図であり、図３は、本発明にかかるパワー半導体装置の包装装置の実施の形態を示す斜視図であり、図４は、本発明にかかるパワー半導体装置の包装装置の実施の形態のスペーサを示す斜視図であり、図５は、本発明にかかるパワー半導体装置の包装装置の実施の形態の蓋を示す斜視図であり、図６−１〜図６−５は、本発明にかかるパワー半導体装置の包装装置によりパワー半導体装置を積層包装する手順を示す図である。
【００１３】
図２に示すように、パワー半導体装置１は、矩形板状に形成され四隅に取付孔１ｂが設けられた基板１ａと、基板１ａ上に矩形厚板状にモールドされ四隅に切り欠き部１ｅが形成されたモールド部１ｃと、モールド部１ｃから基板１ａの反対側に所定長さ導出された複数の電極端子１ｄ等を備えている。パワー半導体装置１は、全体として厚板状に形成されている。
【００１４】
図３に示すように、実施の形態の包装装置２は、パワー半導体装置１の基板１ａと同等若しくは少し大きい形状の矩形板状に形成され、パワー半導体装置１が載置される台座２ａと、台座２ａの四隅に立設され、積層載置される複数のパワー半導体装置１の四つの取付孔１ｂに挿通させる四本の支柱２ｂと、を備えている。
【００１５】
図１〜図４に示すように、実施の形態の包装装置２は、支柱２ｂが挿通され、積層載置されるパワー半導体装置１の基板１ａ間の支柱２ｂに嵌合され、パワー半導体装置１、１同士が互いに接触しないように間隔を保持する筒状スペーサ３を備えている。筒状スペーサ３の長さは、パワー半導体装置１のモールド部１ｃの厚さと、電極端子１ｄの導出長さの合計値よりも長くなっている。それ故、パワー半導体装置１、１同士が互いに接触することはない。
【００１６】
図１及び図５に示すように、実施の形態の包装装置２は、台座２ａと略同一形状の板状に形成され、四隅部に、四本の支柱２ｂの先端部を挿入させ先端部に係合する四本の筒部（係合部）４ａを設けた蓋４をさらに備えている。筒部４ａの長さは、筒状スペーサ３の長さと同一とし、蓋４が電極端子１ｄに接触しないようにする。
【００１７】
包装装置２に蓋４を被せ、紐又はテープ等で緊縛することにより、積層載置されたパワー半導体装置１、１が、ガタつかないように固定することができる。なお、支柱２ｂを筒状支柱とし、係合部４ａを棒状部材としてもよい。
【００１８】
台座２ａ、支柱２ｂ、筒状スペーサ３及び蓋４は、金属等の導電性及び剛性を有する材料で製作するのがよい。導電性及び剛性を有する材料とすることにより、静電気によるパワー半導体装置１の静電破壊を防止することができ、また、輸送時の振動や落下により、パワー半導体装置１が破損するのを防止することができる。
【００１９】
次に、図６−１〜図６−５を参照して、包装装置２、筒状スペーサ３及び蓋４を用いたパワー半導体装置１の包装手順を説明する。先ず、図６−１に示すように、包装装置２の支柱２ｂを上方へ向け、台座２ａを適宜の作業台上に置く。図６−２に示すように、パワー半導体装置１の取付孔１ｂを支柱２ｂに嵌合させ、パワー半導体装置１を台座２ａ上に載置する。
【００２０】
次に、図６−３に示すように、筒状スペーサ３を支柱２ｂに嵌合させ、パワー半導体装置１の基板１ａ上に落し込む。次に、図６−４に示すように、パワー半導体装置１及び筒状スペーサ３を交互に支柱２ｂに嵌合させ、包装装置２に落し込み、合計４台のパワー半導体装置１を積層する。
【００２１】
図６−５に示すように、最後に、蓋４の筒部４ａを支柱２ｂに嵌合させ、蓋４を包装装置２に被せる。図示しない紐又はテープ等で包装装置２及び蓋４を緊縛し、積層載置されたパワー半導体装置１、１が、ガタつかないように固定する。
【００２２】
包装したパワー半導体装置１、１を取出すときは、図６−１〜図６−５に示す手順を逆にすればよい。
【産業上の利用可能性】
【００２３】
以上のように、本発明にかかる包装装置は、パワー半導体装置の輸送に有用である。
【図面の簡単な説明】
【００２４】
【図１】本発明にかかる包装装置によりパワー半導体装置を積層包装した状態を示す斜視図である。
【図２】パワー半導体装置の形状を示す斜視図である。
【図３】本発明にかかる包装装置の実施の形態を示す斜視図である。
【図４】本発明にかかる包装装置の実施の形態のスペーサを示す斜視図である。
【図５】本発明にかかる包装装置の実施の形態の蓋を示す斜視図である。
【図６−１】本発明にかかる包装装置によりパワー半導体装置を積層包装する手順を示す図である。
【図６−２】本発明にかかる包装装置によりパワー半導体装置を積層包装する手順を示す図である。
【図６−３】本発明にかかる包装装置によりパワー半導体装置を積層包装する手順を示す図である。
【図６−４】本発明にかかる包装装置によりパワー半導体装置を積層包装する手順を示す図である。
【図６−５】本発明にかかる包装装置によりパワー半導体装置を積層包装する手順を示す図である。
【符号の説明】
【００２５】
１  パワー半導体装置
１ａ  基板
１ｂ  取付孔
１ｃ  モールド部
１ｄ  電極端子
１ｅ  切り欠き部
２  包装装置
２ａ  台座
２ｂ  支柱
３  筒状スペーサ
４  蓋
４ａ  筒部（係合部）
【図１】
2008150057.tif 000003
【図２】
2008150057.tif 000004
【図３】
2008150057.tif 000005
【図４】
2008150057.tif 000006
【図５】
2008150057.tif 000007
【図６−１】
2008150057.tif 000008
【図６−２】
2008150057.tif 000009
【図６−３】
2008150057.tif 000010
【図６−４】
2008150057.tif 000011
【図６−５】
2008150057.tif 000012